(57)【要約】【課題】  インナーガイドがカセット本体から不用意に外れることを防止する。【解決手段】  インナーガイドの下部の左右一端に設けた突起を、カセット本体の弾性爪により回動自在に係合する。突起を設けた側のインナーガイドの上部に当接片を設けて、インナーガイドが閉じた状態で、突起が弾性爪から浮き上がると、当接片が搬送ローラの軸に接触するようにした。【選択図】    図３
2011063343.tif 000002
【特許請求の範囲】
【請求項１】
ピックアップローラと搬送ローラとを備えたカセット本体の外側に、インナーガイドと搬送ガイドとを、インナーガイドを内側、搬送ガイドを外側に、各々着脱自在に、かつ各ガイドの下部の左右両端部を水平軸を中心に回動自在に前記カセット本体に取り付け、カセット本体内からの用紙をインナーガイドで、カセット本体よりも下部からの用紙を搬送ガイドで、各々搬送ローラまでガイドする給紙カセットにおいて、
前記インナーガイドの下部の左右一端に設けた突起を、カセット本体の弾性爪により回動自在に係合し、
前記弾性爪は前記突起の上部に上下方向の隙間が有る形状で、
前記インナーガイドの少なくとも前記左右一端の上部に当接片を設けて、インナーガイドが閉じた状態で、前記突起が前記隙間から浮き上がると、前記当接片が搬送ローラの軸に接触するようにしたことを特徴とする、プリンタ用の給紙カセット。
【請求項２】
前記インナーガイドの左右他端の下部に設けた突起を、カセット本体に設けた孔部で回動自在に支持し、
かつインナーガイドの回動での周方向に沿った、前記当接片の長さを、前記搬送ローラの軸の直径よりも大きくしたことを特徴とする、請求項１のプリンタ用の給紙カセット。
【請求項３】
前記搬送ガイドの下部の左右一端に圧縮自在な弾性部を介して突起を設け、左右端に弾性部を介さずに突起を設け、各突起をカセット本体の孔部で支持すると共に、
前記搬送ガイドを閉じた際にカセット本体側を向く突起を前記弾性部に設け、
前記搬送ガイドが閉じた状態で、前記弾性部が縮むと搬送ガイドの突起と接触するストッパを、前記突起と対向する位置の内側で、カセット本体に設けたことを特徴とする、請求項１または２のプリンタ用の給紙カセット。
【発明の詳細な説明】
【技術分野】
【０００１】
この発明は、複写機、複合機などを含むプリンタ用の給紙カセットに関する。
【背景技術】
【０００２】
複写機、複合機などのプリンタの給紙カセットでは、カセット内部のピックアップローラから、インナーガイドを介して搬送ローラまで用紙を搬送する。インナーガイドの外側には別に搬送ガイドを設け、上下多段に配置された給紙カセットの下段からの用紙をガイドして、搬送ローラまで搬送する。そして搬送ガイドに従動ローラを設け、インナーガイドでガイドした用紙も、搬送ガイドでガイドした用紙も、搬送ローラと従動ローラとの間を通過させ、プリンタ本体あるいは上段のカセット側へ搬送する（特許文献１：JP2008-24415A）。
【０００３】
インナーガイドと搬送ガイドはカセット本体への取付部品であり、例えばインナーガイドの下部の左右一端をカセット本体側の孔部に挿入し、左右の他端をカセット本体側の係合爪で係合して保持する。係合爪は上下方向に隙間があり、インナーガイドを下向きに押し込むと、係合爪に係合できる。しかしながら係合爪による保持では、輸送時等に給紙カセットに振動が加わると、インナーガイドが係合爪から外れる可能性がある。          
【０００４】
搬送ガイドはインナーガイドに比べ大がかりな部品なので、係合爪による係合ではなく、より確実な係合手段を用いる。そこで例えば搬送ガイドの下部の左右一端に弾性部材を設けて、ガイドとは反対側の弾性部材の端部に突起を設ける。この突起をカセット本体の孔部に挿入して軸支する。他端には弾性部材を設けず、搬送ガイドの端部の突起をカセット本体の孔部に挿入し、軸支する。しかしながら弾性部材を用いると、輸送中等の振動で弾性部材が縮むと、突起が孔部から抜け出す可能性がある。
【先行技術文献】
【特許文献】
【０００５】
【特許文献１】JP2008-24415A
【発明の概要】
【発明が解決しようとする課題】
【０００６】
この発明の課題は、給紙カセットのインナーガイドについて、簡単な取付構造を用いながら、インナーガイドの取付を容易にし、かつインナーガイドが不用意に外れることを防止することにある。
この発明の追加の課題は、給紙カセットの搬送ガイドについて、簡単な取付構造を用いながら、搬送ガイドの取付を容易にし、かつ搬送ガイドが不用意に外れることを防止することにある。
【課題を解決するための手段】
【０００７】
この発明は、ピックアップローラと搬送ローラとを備えたカセット本体の外側に、インナーガイドと搬送ガイドとを、インナーガイドを内側、搬送ガイドを外側に、各々着脱自在に、かつ各ガイドの下部の左右両端部を水平軸を中心に回動自在に前記カセット本体に取り付け、カセット本体内からの用紙をインナーガイドで、カセット本体よりも下部からの用紙を搬送ガイドで、各々搬送ローラまでガイドする、プリンタ用の給紙カセットにおいて、
前記インナーガイドの下部の左右一端に設けた突起を、カセット本体の弾性爪により回動自在に係合し、
前記弾性爪は前記突起の上部に上下方向の隙間が有る形状で、
前記インナーガイドの少なくとも前記左右一端の上部に当接片を設けて、インナーガイドが閉じた状態で、前記突起が前記隙間から浮き上がると、前記当接片が搬送ローラの軸に接触するようにしたことを特徴とする。
【０００８】
この発明では、インナーガイドの左右少なくとも一端に当接片を設けるだけで、インナーガイドの突起が弾性爪から外れることを防止でき、しかも突起の取り付け構造は簡単で、取り付けも複雑にならない。なお実施例では、弾性爪を一対設けたが１個でも良く、当接片をインナーガイドの左右端に沿って長く配置したが、左右端の上部にのみ設けても良い。
【０００９】
好ましくは、前記インナーガイドの左右他端の下部に設けた突起を、カセット本体に設けた孔部で回動自在に支持し、かつインナーガイドの回動での周方向に沿った、前記当接片の長さを、前記搬送ローラの軸の直径よりも大きくする。インナーガイドの回動方向に沿った当接片の長さを、搬送ローラの軸の直径よりも大きくすると、インナーガイドが、振動等で標準位置から回動していても、当接片が外れ止めとして作用する。
【００１０】
より好ましくは、前記搬送ガイドの下部の左右一端に圧縮自在な弾性部を介して突起を設け、左右端に弾性部を介さずに突起を設け、各突起をカセット本体の孔部で支持すると共に、前記搬送ガイドを閉じた際にカセット本体側を向く突起を前記弾性部に設け、前記搬送ガイドが閉じた状態で、前記弾性部が縮むと搬送ガイドの突起と接触するストッパを、前記突起と対向する位置の内側で、カセット本体に設ける。このようにすると、搬送ガイドが閉じた状態で、振動等により弾性部が縮み突起が内側へ移動すると、ストッパと接触して搬送ガイドが外れることを防止できる。必要な部材は突起とストッパで、極めて簡単に構成でき、かつ搬送ガイドの装着が複雑にならない。
【図面の簡単な説明】
【００１１】
【図１】実施例のカセットの平面図
【図２】実施例のカセットの、インナーガイドを閉じた状態での、係合端側の要部正面図
【図３】実施例のカセットの、インナーガイドを閉じた状態での、係合端側の要部平面図
【図４】実施例のカセットの、インナーガイドを閉じた状態での挿入端側の要部平面図
【図５】実施例のカセットの、インナーガイドの係合端の付近を拡大して示す、要部拡大平面図
【図６】実施例のカセットの、インナーガイドの係合端の付近を拡大して示す、要部拡大側面図
【図７】実施例のカセットの、インナーガイドの下部の係合端と上部の当接片とを模式的に示す側面図
【図８】実施例のカセットの、閉じた状態のインナーガイド、開いた状態の搬送ガイド、及びその周囲を示す要部平面図
【図９】実施例のカセットの、閉じた状態の搬送ガイドとその周囲とを示す要部平面図
【図１０】実施例のカセットの、搬送ガイドの突起と本体ケースのストッパとを示す要部拡大平面図で、搬送ガイドは閉じている。
【発明を実施するための最良の形態】
【００１２】
以下に本発明を実施するための最適実施例を示す。この発明の範囲は、特許請求の範囲の記載に基づき、明細書とこの分野の周知技術を参酌し、当業者の理解に従って定められるべきである。
【実施例】
【００１３】
図１〜図１０に、実施例を示す。各図において、２はカセットで、複写機，複合機，ファクシミリ装置、プリンタなどの給紙用カセットであり、４はカセット２の天板で、５はカセット本体である。カセット２には側部カバー８と一体に着脱する着脱部６が設けられ、着脱部６の用紙エリア１０にＡ４などの用紙を載置できるようにする。
【００１４】
カセット２の一端にピックアップローラ１２を設け、用紙エリア１０からの用紙を１枚ずつピックアップする。ピックアップした用紙を、カセット本体５の図示しない孔部を介して、後述のインナーガイド１８との間へ送り出すことにより、搬送ローラ１４側へ搬送する。１３はピックアップローラ１２の軸で、図示しない駆動部により回転する。１４は搬送ローラ、１５は搬送ローラ１４の軸で、駆動部１６により回転する。１８はインナーガイドで、カセット２の本体５に対し着脱かつ回動自在に取り付けられている。１９はインナーガイド１８の上縁、２０はインナーガイド１８の例えば左右双方に設けた当接片で、その上端の当接端２１と軸１５の下端との間に僅かな隙間がある。当接片２０の内、実際に意味があるのは当接端２１なので、特許請求の範囲では当接端２１を備えた部材を当接片と呼ぶ。
【００１５】
なおこの明細書において、左右は軸１３，１５の長手方向を意味し、上下は通常の上下方向を意味する。実施例では、インナーガイド１８の左右それぞれに当接片２０を設けるが、後述の係合端３０を設けた側にのみ当接片２０を設けても良い。また２６はガイドフィルムで、例えばインナーガイド１８の左右に設けて、インナーガイド１８の内側を通過した用紙をガイドフィルム２６により搬送ローラ１４から外れないようにする。ガイドフィルム２６は設けなくても良い。
【００１６】
２２は搬送ガイドで、インナーガイド１８の外側にあり、図示したカセット２よりも下側のカセットからの用紙を、インナーガイド１８と搬送ガイド２２の間を通過させて、搬送ローラ１４まで搬送する。搬送ガイド２２は従動ローラ２４を備えている。２８はインナーガイド１８の下部の軸（図２）で、その一端が図２などに示す係合端３０で、他端が図４などに示す挿入端３６である。
【００１７】
インナーガイド１８は軸２８を中心に回動自在で、下部の左右方向一端に係合端３０（図２等）が、他端には挿入端３６（図４）がある。係合端３０は係合部３２に例えば一対の弾性爪により係合保持され、一対の弾性爪３３，３３の間に上下方向の隙間があり、係合端３０を上から下へセットすることにより係合する。インナーガイド１８の左右反対側では、挿入端３６を保持部３８の孔部３９に挿入して支持する。そしてインナーガイド１８の取り付けを容易にするため、左右方向一端を挿入端３６とし他端を係合端３０とする。
【００１８】
図５，図６に係合端３０とその周囲を拡大して示す。４２はインナーガイド１８のカバーで、一対の弾性爪３３，３３の間には上向きの隙間があり、係合端３０を係合部３２の溝４０で受けて、弾性爪３３により保持する。インナーガイド１８は一端を弾性爪３３で係合保持するので、移送中などに上向きの振動が加わると、係合端３０が弾性爪３３から外れることがある。そこで弾性爪３３の構造を変更し外れにくくすると、インナーガイド１８の取り付けが複雑になり、係合部３２の構造も複雑になる。そこで実施例では、インナーガイド１８のカバー４２の左右に当接片２０を設け、その上端の当接端２１を通常は軸１５よりも僅かに下側に位置するようにする。そして振動などによりインナーガイド１８が上側に変位すると、当接端２１が軸１５に接触して、インナーガイド１８の脱落を防止する（図７）。
【００１９】
実施例ではインナーガイド１８の左右にそれぞれ当接片２０を設けたが、少なくとも係合端３０側の上部に設ける。また係合端３０と挿入端３６との組み合わせに代えて、左右双方とも係合端３０とする場合、インナーガイド１８の左右それぞれに当接片２０を設ける。なおインナーガイド１８が上方に移動した場合、上縁１９が搬送ローラ１４に接触するよりも先に、当接端２１が軸１５に接触するので、上縁１９と搬送ローラ１４との間に最小限の隙間が残り、ここを用紙が通過できる。
【００２０】
搬送ガイド２２はインナーガイド１８の外側の部材で、図示したカセット２の下側のカセットから搬送される用紙を、インナーガイド１８と搬送ガイド２２との間を通過させて、搬送ローラ２４まで搬送する。図８〜図１０に、搬送ガイド２２の構造を示すと、従動ローラ２４には軸４４を取り付け、例えば軸受４６で支持する。カバー４８は搬送ガイド２２の面状の部材で、カバー４８の裏側とインナーガイド１８のカバー４２との間が用紙のパスとなる。そして搬送ガイド２２は、下部の突起５２などを中心として回動自在である。
【００２１】
搬送ガイド２２の下部の左右一方に弾性部５０があり、プラスチック部材で構成されて例えばＣ字状の形状にし、左右方向の弾性を備えている。弾性部５０の外側に突起５２があり、カセット本体５側の保持部５４の挿入孔に突起５２を挿入して軸支する。なお搬送ガイド２２の左右他端では、弾性部５０を設けずに、突起５２をカバー４８の端部に直接設けて、保持部５４で保持する。
【００２２】
弾性部５０が必要なのは、突起５２を保持部５４に挿入できるようにするためである。しかしながら搬送ガイド２２に左右方向の振動などが加わると、弾性部５０が縮み、突起５２が保持部５４から外れる可能性がある。突起５２の脱落を防止するため、突起５２の長さを長くすると、取り付けが複雑になる。そこで実施例では、Ｃ字状の弾性部５０の、搬送ガイド本体（カバー４８）から見て左右方向外側に突起５６を設け、さらに搬送ガイド２２が閉じている際に、突起５６の運動を規制するストッパ５８を設ける。ストッパ５８は、左右方向に関して突起５６の内側に設け、弾性部５０が縮むと突起５６と接触するように設ける。このため振動などにより弾性部５０が縮み、突起５６が図９，図１０の右側(内側)へ移動すると、ストッパ５８で止められて、突起５２が外れることを防止できる。なお搬送ガイド２２の左右双方に弾性部５０を設ける場合、突起５６とストッパ５８を左右双方に設けることが好ましい。
【００２３】
実施例では以下の効果が得られる。
(1)  インナーガイド１８に、当接端２１を備えた当接片２０を設けることにより、インナーガイド１８の係合端３０が係合部３２から外れることを防止する。
(2)  またインナーガイド１８が上方に移動した場合、上縁１９が搬送ローラ１４に接触するよりも先に、当接端２１が軸１５に接触するので、上縁１９と搬送ローラ１４との間に最小限の隙間が残り、ここを用紙が通過できる。
(3)  インナーガイド１８の回動方向に沿った当接端２１の長さは、軸１５の直径よりも大きいので、インナーガイド１８が多少回動していても、当接端２１が外れ止めとして作用する。
(4)  弾性部５０に突起５６を設けると共に、搬送ガイド２２が閉じた状態で、左右方向に突起５６と向かい合うストッパ５８を設け、突起５２が外れることを防止する。
(5)  このようにしてインナーガイド１８と搬送ガイド２２の外れ止めを、簡単な機構で実現し、またこれらの取り付けを複雑にすることがない。
【符号の説明】
【００２４】
２                カセット
４                天板
５                カセット本体
６                着脱部
８                側部カバー
１０              用紙エリア
１２              ピックアップローラ
１３，１５        軸
１４              搬送ローラ
１６              駆動部
１８              インナーガイド
１９              上縁
２０              当接片
２１              当接端
２２              搬送ガイド
２４              従動ローラ
２６              ガイドフィルム
２８，４４        軸
３０              係合端
３２              係合部
３３              弾性爪
３６              挿入端
３８              保持部
３９              孔部
４０              溝
４２，４８        カバー
４６              軸受
５０              弾性部
５２              突起
５４              保持部
５６              突起
５８              ストッパ
【図１】
2011063343.tif 000003
【図２】
2011063343.tif 000004
【図３】
2011063343.tif 000005
【図４】
2011063343.tif 000006
【図５】
2011063343.tif 000007
【図６】
2011063343.tif 000008
【図７】
2011063343.tif 000009
【図８】
2011063343.tif 000010
【図９】
2011063343.tif 000011
【図１０】
2011063343.tif 000012